(57)【特許請求の範囲】
【請求項１】
コネクタのハウジング内に収容された端子と、前記ハウジング外に設けられた導電性の相手部材とを接続するための導電部材であって、
１枚の金属板にプレス加工が施されて形成され、前記ハウジングに係止して該ハウジングに取り付けられるハウジング係止部と、前記端子に引っ掛かって該端子を前記ハウジング内に保持するとともに該端子に電気的に接続される第１接続部と、前記相手部材に電気的に接続される第２接続部と、が設けられ、
前記ハウジング係止部が、前記金属板がＵ字型に曲げられて設けられ互いの間に前記ハウジングの外壁を挟む一対の板状部と、該板状部に設けられ、前記外壁に設けられた凸部に嵌まる係止穴と、で構成されている
ことを特徴とする導電部材。
【請求項２】
前記第１接続部に、前記端子の外壁を貫通した開口部の縁部に引っ掛かる引っ掛かり部と、前記開口部を塞ぐ塞ぎ部と、が設けられている
ことを特徴とする請求項１に記載の導電部材。
【請求項３】
コネクタのハウジング内に収容された端子と、前記ハウジング外に設けられた導電性の相手部材とを接続するための導電部材であって、
１枚の金属板にプレス加工が施されて形成され、前記ハウジングに係止して該ハウジングに取り付けられるハウジング係止部と、前記端子に引っ掛かって該端子を前記ハウジング内に保持するとともに該端子に電気的に接続される第１接続部と、前記相手部材に電気的に接続される第２接続部と、が設けられ、
前記第１接続部に、前記端子の外壁を貫通した開口部の縁部に引っ掛かる引っ掛かり部と、前記開口部を塞ぐ塞ぎ部と、が設けられている
ことを特徴とする導電部材。
【請求項４】
前記第１接続部と前記第２接続部とのうち少なくとも一方に、山型に折り曲げられて形成され、前記端子または前記相手部材に弾性的に接触するバネ状部が設けられている
ことを特徴とする請求項１ないし請求項３のうちいずれか１項に記載の導電部材。
【請求項５】
電線の端末に接続された端子と、該端子を収容する合成樹脂性のハウジングと、前記端子と前記ハウジング外に設けられた導電性の相手部材とを接続するための導電部材と、を有するコネクタであって、
請求項１ないし請求項４のうちいずれか１項に記載の導電部材を有している
ことを特徴とするコネクタ。
【請求項６】
前記電線が、芯線と、該芯線を覆う絶縁被覆と、該絶縁被覆を覆う編組シールドと、該編組シールドを覆うシースと、を有する同軸ケーブルであり、
前記端子が、前記編組シールドと接続されるアース端子であり、
前記導電部材が、前記端子を介して前記編組シールドを前記相手部材に接地するアースプレートである
ことを特徴とする請求項５に記載のコネクタ。
【発明の詳細な説明】
【技術分野】
【０００１】
本発明は、コネクタのハウジング内に収容された端子と前記ハウジング外に設けられた導電性の相手部材とを接続するための導電部材、及び、その導電部材を有するコネクタに関するものである。
【背景技術】
【０００２】
自動車には、搭載された電子機器に電力や制御信号などを伝えるためにワイヤハーネスが配索されている。ワイヤハーネスは、複数の電線と、この電線の端末に接続されたコネクタと、を有している。また、このコネクタは、前記電線と接続された導電性の端子金具と、この端子金具を収容した絶縁性のハウジングと、を有しており、前記電子機器のコネクタとコネクタ結合する。
【０００３】
上述したコネクタとして、例えば、装置の保護やノイズ除去などを目的として、前記電線を相手部材としての適当な接地部分（例えば車両のボディ等）に接続するアース用のコネクタが知られている（例えば特許文献１を参照。）。
【０００４】
上記アース用のコネクタは、例えば特許文献１の図１３及び図１４に示すように、電線の端末に接続されたアース端子と、このアース端子を収容する絶縁性のハウジングと、このハウジングの外側に設けられかつ適当な接地部分に接続された導電性のシェルと、前記アース端子と前記シェルとを接続するためのアース金具と、このアース金具を固定するためのビス、などを有して構成されている。
【特許文献１】特開２００３−１３３００５号公報
【発明の開示】
【発明が解決しようとする課題】
【０００５】
上述した従来のアース用のコネクタは、アース端子を接地部分に接続、即ち接地、するために、シェル、アース金具、ビスなどの複数の部品を介在させなければならず、部品点数が多くなり、組立工数が多くなるという問題があった。また、部品点数が多いことから、このコネクタの小型化が難しいという問題があった。
【０００６】
また、このような問題は、上述したアース用のコネクタに限定する問題ではなく、例えば、電線の端末に接続されハウジング内に収容された端子を、導電部材を介して、ハウジング外に設けられたプリント基板などの相手部材に接続するコネクタにも同様に生じる問題である。
【０００７】
したがって、本発明は、コネクタの部品点数を少なくすることができ、該コネクタの小型化を図ることができる導電部材、及び、該導電部材を有するコネクタを提供することを目的とする。
【課題を解決するための手段】
【０００８】
上記目的を達成するために、請求項１に記載された発明は、コネクタのハウジング内に収容された端子と、前記ハウジング外に設けられた導電性の相手部材とを接続するための導電部材であって、１枚の金属板にプレス加工が施されて形成され、前記ハウジングに係止して該ハウジングに取り付けられるハウジング係止部と、前記端子に引っ掛かって該端子を前記ハウジング内に保持するとともに該端子に電気的に接続される第１接続部と、前記相手部材に電気的に接続される第２接続部と、が設けられ、前記ハウジング係止部が、前記金属板がＵ字型に曲げられて設けられ互いの間に前記ハウジングの外壁を挟む一対の板状部と、該板状部に設けられ、前記外壁に設けられた凸部に嵌まる係止穴と、で構成されていることを特徴とする導電部材である。
【０００９】
請求項２に記載された発明は、請求項１に記載された発明において、前記第１接続部に、前記端子の外壁を貫通した開口部の縁部に引っ掛かる引っ掛かり部と、前記開口部を塞ぐ塞ぎ部と、が設けられていることを特徴とするものである。
【００１０】
請求項３に記載された発明は、コネクタのハウジング内に収容された端子と、前記ハウジング外に設けられた導電性の相手部材とを接続するための導電部材であって、１枚の金属板にプレス加工が施されて形成され、前記ハウジングに係止して該ハウジングに取り付けられるハウジング係止部と、前記端子に引っ掛かって該端子を前記ハウジング内に保持するとともに該端子に電気的に接続される第１接続部と、前記相手部材に電気的に接続される第２接続部と、が設けられ、前記第１接続部に、前記端子の外壁を貫通した開口部の縁部に引っ掛かる引っ掛かり部と、前記開口部を塞ぐ塞ぎ部と、が設けられていることを特徴とする導電部材である。
【００１１】
請求項４に記載された発明は、請求項１ないし請求項３のうちいずれか１項に記載された発明において、前記第１接続部と前記第２接続部とのうち少なくとも一方に、山型に折り曲げられて形成され、前記端子または前記相手部材に弾性的に接触するバネ状部が設けられていることを特徴とするものである。
【００１２】
請求項５に記載された発明は、電線の端末に接続された端子と、該端子を収容する合成樹脂性のハウジングと、前記端子と前記ハウジング外に設けられた導電性の相手部材とを接続するための導電部材と、を有するコネクタであって、請求項１ないし請求項４のうちいずれか１項に記載の導電部材を有していることを特徴とするコネクタである。
【００１３】
請求項６に記載された発明は、請求項５に記載された発明において、前記電線が、芯線と、該芯線を覆う絶縁被覆と、該絶縁被覆を覆う編組シールドと、該編組シールドを覆うシースと、を有する同軸ケーブルであり、前記端子が、前記編組シールドと接続されるアース端子であり、前記導電部材が、前記端子を介して前記編組シールドを前記相手部材に接地するアースプレートであることを特徴とするものである。
【発明の効果】
【００１４】
請求項１に記載された発明によれば、コネクタのハウジング内に収容された端子と、前記ハウジング外に設けられた導電性の相手部材とを接続するための導電部材が、１枚の金属板にプレス加工が施されて形成され、前記ハウジングに係止して該ハウジングに取り付けられるハウジング係止部と、前記端子に引っ掛かって該端子を前記ハウジング内に保持するとともに該端子に電気的に接続される第１接続部と、前記相手部材に電気的に接続される第２接続部と、が設けられていることから、この導電部材１つだけで端子を相手部材に接続させることができるので、コネクタの部品点数を少なくすることができ、該コネクタの小型化を図ることができる。また、端子をハウジング内に保持するランスとしての第１接続部が、合成樹脂よりも強度が高い金属製であることから、該第１接続部が削れたり塑性変形したりし難いので、該第１接続部が確実に端子を保持しながらこの端子との導通を図ることができる。また、前記ハウジング係止部が、前記金属板がＵ字型に曲げられて設けられ互いの間に前記ハウジングの外壁を挟む一対の板状部と、該板状部に設けられ、前記外壁に設けられた凸部に嵌まる係止穴と、で構成されていることから、治具やネジなどを用いずに容易にこの導電部材をハウジングに取り付けることができる。
【００１５】
請求項２に記載された発明によれば、前記第１接続部に、前記端子の外壁を貫通した開口部の縁部に引っ掛かる引っ掛かり部と、前記開口部を塞ぐ塞ぎ部と、が設けられていることから、端子の開口部が設けられた部分のインピーダンスが他の部分よりも高くなっても、塞ぎ部でこの開口部を塞ぐことにより、この開口部が設けられた部分のインピーダンスを他の部分に整合させることができる。
【００１６】
請求項３に記載された発明によれば、コネクタのハウジング内に収容された端子と、前記ハウジング外に設けられた導電性の相手部材とを接続するための導電部材が、１枚の金属板にプレス加工が施されて形成され、前記ハウジングに係止して該ハウジングに取り付けられるハウジング係止部と、前記端子に引っ掛かって該端子を前記ハウジング内に保持するとともに該端子に電気的に接続される第１接続部と、前記相手部材に電気的に接続される第２接続部と、が設けられていることから、この導電部材１つだけで端子を相手部材に接続させることができるので、コネクタの部品点数を少なくすることができ、該コネクタの小型化を図ることができる。また、端子をハウジング内に保持するランスとしての第１接続部が、合成樹脂よりも強度が高い金属製であることから、該第１接続部が削れたり塑性変形したりし難いので、該第１接続部が確実に端子を保持しながらこの端子との導通を図ることができる。また、前記第１接続部に、前記端子の外壁を貫通した開口部の縁部に引っ掛かる引っ掛かり部と、前記開口部を塞ぐ塞ぎ部と、が設けられていることから、端子の開口部が設けられた部分のインピーダンスが他の部分よりも高くなっても、塞ぎ部でこの開口部を塞ぐことにより、この開口部が設けられた部分のインピーダンスを他の部分に整合させることができる。
【００１７】
請求項４に記載された発明によれば、前記第１接続部と前記第２接続部とのうち少なくとも一方に、山型に折り曲げられて形成され、前記端子または前記相手部材に弾性的に接触するバネ状部が設けられていることから、端子と第１接続部同士、または、相手部材と第２接続部同士を高い接触圧で確実に接続させることができるので、バネ等の他部品を用いずにこの導電部材１つだけでコネクタの接続信頼性を高くすることができる。
【００１８】
請求項５に記載された発明によれば、電線の端末に接続された端子と、該端子を収容する合成樹脂性のハウジングと、前記端子と前記ハウジング外に設けられた導電性の相手部材とを接続するための導電部材と、を有するコネクタが、請求項１ないし請求項４のうちいずれか１項に記載の導電部材を有していることから、部品点数が少なくコンパクトなコネクタを提供することができる。
【００１９】
請求項６に記載された発明によれば、前記電線が、芯線と、該芯線を覆う絶縁被覆と、該絶縁被覆を覆う編組シールドと、該編組シールドを覆うシースと、を有する同軸ケーブルであり、前記端子が、前記編組シールドと接続されるアース端子であり、前記導電部材が、前記端子を介して前記編組シールドを前記相手部材に接地するアースプレートであることから、ノイズ除去機能を有した部品点数が少なくコンパクトなコネクタを提供することができる。
【発明を実施するための最良の形態】
【００２０】
（第１の実施形態）
本発明の第１の実施形態に係るコネクタを図１ないし図４を参照して説明する。図１は、本発明の第１の実施形態に係るコネクタを示す斜視図である。図２は、図１中のＡ−Ａ線に沿った断面図である。図３は、図１中のＡ−Ａ線に沿った断面斜視図である。同図においては、電線と該電線の芯線と接続した内側端子を省略している。図４は、図２に示されたコネクタを構成する導電部材を示す斜視図である。
【００２１】
図１ないし図３に示すコネクタ１は、自動車などに配索されるワイヤハーネスを構成するものであり、同軸ケーブル（請求項中の電線）２の端末に接続されたアース端子（請求項中の端子）３と、このアース端子３を収容する合成樹脂性のハウジング４と、アース端子３とハウジング４外に設けられた導電性の相手部材（不図示）とを接続するためのアースプレート（請求項中の導電部材）５と、を有している。
【００２２】
上記同軸ケーブル２は、高周波信号を伝送する電線であり、図１及び図２に示すように、高周波信号を伝送する芯線２１と、この芯線２１を覆う絶縁被覆２２と、この絶縁被覆２２を覆って芯線２１にノイズが乗ることを防止する編組シールド２３と、この編組シールド２３を覆うシース２４と、を有した構成である。
【００２３】
また、上記同軸ケーブル２の端末は、シース２４が除去されて編組シールド２３の一部が露出している。この露出した編組シールド２３には、後述するアース端子３が接続されている。さらに、このアース端子３の内側に位置付けられた芯線２１の端末には、雄型の内側端子２５が接続されている。この内側端子２５は、図示しない相手側コネクタの雌型の端子と嵌合して、この雌型の端子側に高周波信号を伝送する。なお、本発明においては、内側端子２５が雌型であっても良い。
【００２４】
上記アース端子３は、導電性の金属板にプレス加工が施されて形成されている。このアース端子３は、筒状に形成され、内側に上記内側端子２５を位置付ける筒状部３２と、この筒状部３２の長手方向に沿った一方の端部に連なった一対の圧着片３１と、を有している。
【００２５】
上記筒状部３２は、内側に内側端子２５を位置付けることにより、この内側端子２５を電気的にシールドしている。即ち、この内側端子２５にノイズが乗ることを防止している。また、筒状部３２には、当該筒状部３２を構成する外壁を貫通した開口部３３が設けられている。この開口部３３には、アースプレート５の後述の端子係止部兼接続部５１が引っ掛けられる。そして、この端子係止部兼接続部５１が開口部３３引っ掛けられることにより、アース端子３がハウジング４内に保持される。
【００２６】
上記一対の圧着片３１は、同軸ケーブル２の外周に巻き付く格好で、上述した露出した編組シールド２３を圧着し、この編組シールド２３と電気的に接続する。即ち、アース端子３は、編組シールド２３とアースプレート５とを電気的に接続することにより、編組シールド２３に乗ったノイズをアースプレート５側に流す。
【００２７】
上記ハウジング４は、絶縁性の合成樹脂で構成されており、図１に示すように、複数の外壁４１，４２，４３，４４によって中空角筒状に形成されている。このハウジング４の一方の開口部からは上述したアース端子３が挿入される。そして、このハウジング４の他方の開口部からは、上述した相手側コネクタが挿入される。また、ハウジング４は、１つの外壁４３の内表面から凸に設けられた凸部４５ａと、１つの外壁４３の外表面から凸に設けられた凸部４５ｂと、を有している。この凸部４５ａ，４５ｂには、アースプレート５の後述の係止穴５３ａ，５３ｂが嵌まる。
【００２８】
上記アースプレート５は、図４に示すように、１枚の導電性の金属板にプレス加工が施されて形成される。このアースプレート５は、ハウジング４に係止して該ハウジング４に取り付けられるハウジング係止部５２と、アース端子３の開口部３３に引っ掛かって該アース端子３をハウジング４内に保持するとともに該アース端子３に電気的に接続される端子係止部兼接続部（請求項中の第１接続部）５１と、前記相手部材に電気的に接続される接地部（請求項中の第２接続部）５４と、が設けられている。
【００２９】
また、具体的には、上記アースプレート５は、帯板状に型抜きされた金属板が、その中央部でＵ字状に曲げられることでハウジング係止部５２が設けられている。そして、帯板状の金属板の両端部がそれぞれ複数回折り曲げられることで端子係止部兼接続部５１と接地部５４とが設けられている。
【００３０】
即ち、上記ハウジング係止部５２は、前記金属板の中央部がＵ字型に曲げられて、互いに間をあけて平行になるように設けられた平板状の一対の板状部５２ａ，５２ｂと、これら板状部５２ａ，５２ｂに貫通形成された係止穴５３ａ，５３ｂと、で構成されている。一対の板状部５２ａ，５２ｂは、このハウジング４の一方の開口部からハウジング４の長手方向に沿って押し込まれることにより、互いの間にハウジング４の外壁４３を挟む。そして、係止穴５３ａ，５３ｂが、外壁４３に設けられた凸部４５ａ，４５ｂに嵌まることにより、アースプレート５がハウジング４に取り付けられる。
【００３１】
上記端子係止部兼接続部５１は、ハウジング４の内側に位置付けられ、ハウジング４の内表面との間にアース端子３を挟む。また、この端子係止部兼接続部５１は、側方から見て山型に折り曲げられ、弾性変形自在に形成されたバネ状部５１ａを有している。このバネ状部５１ａは、山型の頂点部がアース端子３の開口部３３に侵入するとともに、前記頂点部の近傍部分５１ｂが開口部３３の縁部に弾性的に接触する。即ち、バネ状部５１ａは開口部３３に引っ掛かる。即ち、端子係止部兼接続部５１は、ハウジング４の内表面との間にアース端子３を挟み、かつ、バネ状部５１ａが開口部３３に引っ掛かることでアース端子３をハウジング４内に保持するとともに該アース端子３に電気的に接続される。
【００３２】
上記接地部５４は、ハウジング４の外側に位置付けられる。この接地部５４は、側方から見て山型に折り曲げられ、弾性変形自在に形成されたバネ状部５４ａを有している。このバネ状部５４ａは、山型の頂点部が相手部材に弾性的に接触する。このことにより、アースプレート５と相手部材とが電気的に接続される。即ち、アースプレート５は、アース端子３を介して同軸ケーブル２の編組シールド２３を相手部材に接地し、編組シールド２３に乗ったノイズを相手部材側に流す。
【００３３】
次に、上述した構成のコネクタ１の組み立て方を説明する。まず、同軸ケーブル２の端末のシース２４及び絶縁被覆２２を皮剥きして、この芯線２１に内側端子２５を取り付け、そして、編組シールド２３の外周を圧着片３１により圧着して同軸ケーブル２の端末にアース端子３を取り付ける。
【００３４】
また、予め、ハウジング４にアースプレート５を取り付けておく。このアースプレート５の取り付け方法は、一対の板状部５２ａ，５２ｂの間に外壁４３を挟むようにして、そのままアースプレート５をハウジング４の一方の開口部側から奥側に押し込み、係止穴５３ａ，５３ｂを凸部４５ａ，４５ｂに嵌めて取り付ける。
【００３５】
そして、アースプレート５が取り付けられた状態のハウジング４内に、一方の開口部側から奥側に向かって、同軸ケーブル２の端末に接続されたアース端子３を挿入する。すると、このアース端子３の開口部３３にアースプレート５のバネ状部５１ａが侵入して、アース端子３がハウジング４内に保持されるとともに、アース端子３とアースプレート５とが電気的に接続される。こうしてコネクタ１が組み立てられる。
【００３６】
また、上述のように組み立てられたコネクタ１は、アースプレート５のバネ状部５４ａが相手部材に接触するように所定箇所に取り付けられる。そして、相手側コネクタとコネクタ接続することにより、この相手側コネクタ側に高周波信号を伝送するとともに、相手部材側にノイズを流す。
【００３７】
本実施形態によれば、ネジやビスやバネを用いず、アースプレート５だけでアース端子３を相手部材に接続させることができるので、ノイズ除去機能を有した部品点数が少なくコンパクトなコネクタ１を提供することができる。
【００３８】
また、通常のコネクタは、アース端子３などの端子が、ハウジングの内部に設けられたランスに係止することで該ハウジングに保持される構造になっているが、本発明では、アース端子３をハウジング４内に保持する前記ランスの機能を端子係止部兼接続部５１にもたせている。この端子係止部兼接続部５１は、合成樹脂よりも強度が高い金属製であることから、削れたり塑性変形したりし難く、そのために、確実にアース端子３を保持しながらこのアース端子３との導通を図ることができる。
【００３９】
また、アースプレート５にバネ状部５１ａ，５４ａが設けられていることから、アース端子３とアースプレート５同士、及び、相手部材とアースプレート５同士を高い接触圧で確実に接続させることができるので、バネ等の他部品を用いずにこのアースプレート５だけでコネクタ１の接続信頼性を高くすることができる。
【００４０】
また、ハウジング係止部５２が、金属板がＵ字型に曲げられて設けられ互いの間にハウジング４の外壁４３を挟む一対の板状部５２ａ，５２ｂと、該板状部５２ａ，５２ｂに設けられ、外壁４３に設けられた凸部４５ａ，４５ｂに嵌まる係止穴５３ａ，５３ｂと、で構成されていることから、治具やネジなどを用いずに容易にこのアースプレート５をハウジング４に取り付けることができる。
【００４１】
（第２の実施形態）
続いて、本発明の第２の実施形態に係るコネクタを図５ないし図８を参照して説明する。図５は、本発明の第２の実施形態に係るコネクタを示す断面斜視図である。同図においては、電線と該電線の芯線と接続した内側端子を省略している。図６は、図５に示されたコネクタを構成する導電部材を示す斜視図である。図７は、図５に示されたコネクタを構成する導電部材と端子とが互いに接続された状態を示す斜視図である。図８は、図５に示されたコネクタを構成する導電部材と端子とが互いに接続された状態を示す平面図である。また、これら図５ないし図８において、前述した第１の実施形態と同一構成部分には同一符号を付して説明を省略する。
【００４２】
本実施形態のコネクタ１０１は、図５に示すように、アース端子３と、ハウジング４と、アースプレート１０５と、を有している。このアースプレート１０５は、図６に示すように、ハウジング係止部５２と、アース端子３の開口部３３に引っ掛かって該アース端子３をハウジング４内に保持するとともに該アース端子３に電気的に接続される端子係止部兼接続部（請求項中の第１接続部）１５１と、接地部５４と、を有している。
【００４３】
上記端子係止部兼接続部１５１は、ハウジング４の内側に位置付けられ、ハウジング４の内表面との間にアース端子３を挟む。また、端子係止部兼接続部１５１には、アース端子３の開口部３３の縁部に引っ掛かる引っ掛かり部１５１ａと、開口部３３を塞ぐ塞ぎ部１５１ｂと、が設けられている。具体的には、引っ掛かり部１５１ａは、帯板状の金属板の端部が略直角に折り曲げられたＬ字状の部分を言い、開口部３３外に位置付けられかつ開口部３３が設けられた外壁と平行に配される部分６と、開口部３３が設けられた外壁と直交する方向に配されかつ開口部３３の縁部に当接する部分７とで構成されている（図６を参照。）。また、塞ぎ部１５１ｂは、引っ掛かり部１５１ａよりも金属板の端部に位置する部分を言い、引っ掛かり部１５１ａの開口部３３の縁部に当接する部分７の先端部が略直角に曲げられて設けられている。
【００４４】
また、上記塞ぎ部１５１ｂは、開口部３３と同じ形で、開口部３３と等しい大きさに形成されている。また、塞ぎ部１５１ｂは、アース端子３の筒状部３２の外壁形状に沿った曲面形状に形成されている。
【００４５】
上記構成の端子係止部兼接続部１５１は、ハウジング４の内表面との間にアース端子３を挟み、かつ、引っ掛かり部１５１ａが開口部３３の縁部に引っ掛かることでアース端子３をハウジング４内に保持するとともに該アース端子３に電気的に接続される。また、塞ぎ部１５１ｂが開口部３３を塞ぐことにより、アース端子３のインピーダンスを整合させるとともに、開口部３３から筒状部３２内にノイズが混入することを防止する。
【００４６】
本実施形態によれば、アース端子３の開口部３３が設けられた部分のインピーダンスが他の部分よりも高くなっても、塞ぎ部１５１ｂでこの開口部３３を塞ぐことにより、この開口部３３が設けられた部分のインピーダンスを他の部分に整合させることができる。また、この開口部３３から同軸ケーブル２にノイズが混入することを防止できる。よって、高周波特性が良好なコネクタ１０１を提供することができる。
【００４７】
また、上述した第１，第２の実施形態では、端子が、同軸ケーブル２の編組シールド２３と接続するアース端子３であり、導電部材が、アース端子３を介して編組シールド２３を相手部材に接地するアースプレート５，１０５であるコネクタ１，１０１を説明したが、本発明では、ノイズ除去機能を有していないコネクタ、即ち、電線の端末に接続されハウジング内に収容された端子を、導電部材を介して、ハウジング外に設けられたプリント基板などの相手部材に接続するコネクタであっても良い。
【００４８】
また、アース端子３の開口部３３は、外壁を貫通した穴でなくても良く、例えば、凹溝であっても良い。
【００４９】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００５０】
【図１】本発明の第１の実施形態に係るコネクタを示す斜視図である。
【図２】図１中のＡ−Ａ線に沿った断面図である。
【図３】図１中のＡ−Ａ線に沿った断面斜視図である。
【図４】図２に示されたコネクタを構成する導電部材を示す斜視図である。
【図５】本発明の第２の実施形態に係るコネクタを示す断面斜視図である。
【図６】図５に示されたコネクタを構成する導電部材を示す斜視図である。
【図７】図５に示されたコネクタを構成する導電部材と端子とが互いに接続された状態を示す斜視図である。
【図８】図５に示されたコネクタを構成する導電部材と端子とが互いに接続された状態を示す平面図である。
【符号の説明】
【００５１】
１，１０１  コネクタ
２  同軸ケーブル（電線）
３  アース端子（端子）
４  ハウジング
５，１０５  アースプレート（導電部材）
２１  芯線
２２  絶縁被覆
２３  編組シールド
２４  シース
４５ａ，４５ｂ  凸部
５１，１５１  端子係止部兼接続部（第１接続部）
５１ａ，５４ａ  バネ状部
５２  ハウジング係止部
５２ａ，５２ｂ  板状部
５３ａ，５３ｂ  係止穴
５４  接地部（第２接続部）
１５１ａ  引っ掛かり部
１５１ｂ  塞ぎ部
【図１】
0005186170.tif 000002
【図２】
0005186170.tif 000003
【図３】
0005186170.tif 000004
【図４】
0005186170.tif 000005
【図５】
0005186170.tif 000006
【図６】
0005186170.tif 000007
【図７】
0005186170.tif 000008
【図８】
0005186170.tif 000009